(57)【要約】【課題】フィードバック発振音の発生を効果的に防止可能な可動ルーバー装置を提供する。【解決手段】複数の回転羽根３Ａを備え、回転羽根は、風遮蔽面８を形成する表面８ａ及び裏面８ｂと、表面と裏面とを繋ぐとともに回転支持部によって枠に回転可能に支持される回転中心軸を有した両方の端面と、表面と裏面とを繋ぐとともに回転羽根の回転中心に沿った面により形成された両方の縁面と、両方の縁面に形成された係合凹部１７とを備え、係合凹部１７が、縁面９と、縁面と対向する係合片１８ｂ；１８ｄと、係合片と縁面とを繋ぐ連結片１８ａ；１８ｃとで囲まれた凹部によって形成され、複数の回転羽根の縁面同士が互いに隣り合うように一方向に並べられて互いに隣り合う回転羽根の係合凹部同士が互いに係合可能に構成された可動ルーバー装置１Ａにおいて、係合凹部の内側と外側とに貫通する貫通孔２０を備えたことを特徴とする。【選択図】図１
2009228253.tif 000002
【特許請求の範囲】
【請求項１】
複数の回転羽根を備え、回転羽根は、風遮蔽面を形成する表面及び裏面と、表面と裏面とを繋ぐとともに回転支持部によって枠に回転可能に支持される回転中心軸を有した両方の端面と、表面と裏面とを繋ぐとともに回転羽根の回転中心に沿った面により形成された両方の縁面と、両方の縁面に形成された係合凹部とを備え、係合凹部が、縁面と、縁面と対向する係合片と、係合片と縁面とを繋ぐ連結片とで囲まれた凹部によって形成され、複数の回転羽根の縁面同士が互いに隣り合うように一方向に並べられて互いに隣り合う回転羽根の係合凹部同士が互いに係合可能に構成された可動ルーバー装置において、
係合凹部の内側と外側とに貫通する貫通孔を備えたことを特徴とする可動ルーバー装置。
【請求項２】
貫通孔が係合片に形成されたことを特徴とする請求項１に記載の可動ルーバー装置。
【発明の詳細な説明】
【技術分野】
【０００１】
本発明は、フィードバック発振音の発生防止機能を備えた可動ルーバー装置に関する。
【背景技術】
【０００２】
固定のルーバフィンの風上縁部や風下縁部に縁板や円柱状物体のような風切り騒音防止部を備えたルーバー装置（例えば、特許文献１乃至３など参照）や、回転可能な複数の回転羽根を備えた可動ルーバー装置（例えば、特許文献４など参照）が知られている。
【０００３】
可動ルーバー装置の構造の一例を説明する。可動ルーバー装置１は、図９；図１１に示すように、ルーバー枠２と、複数の回転羽根３と、回転羽根３の回転支持部４、複数の回転羽根３を連動して回転可能とする連結機構５と、風流に対する回転羽根３の表面８ａや裏面８ｂの傾斜角度を所定の角度に固定するための角度設定手段１５とを備える。
ルーバー枠２は例えば四角形枠に形成される。四角形枠は、上下に対向する一対の横桟６と左右に対向する一対の縦桟７とを備える。回転羽根３は、長尺な板に形成される。回転羽根３の長辺の長さは一対の縦桟７間の寸法に対応した長さに形成される。
回転羽根３は、例えば、長辺の長さ寸法が７００ｍｍ、短辺の長さ寸法が５０ｍｍ、板の厚さ寸法が１０ｍｍの横長６の板材により形成される。
図１１に示すように、横方向に長尺な横長の回転羽根３は、回転羽根３の両方の端面１０としての右側端面１０ａ及び左側端面１０ｂよりそれぞれ突出するように設けられた回転中心軸１１がルーバー枠２の左右の縦桟７に回転自在に取付けられる。ルーバー枠２の左右の縦桟７に回転自在に取付けられる複数の回転羽根３は、互いに縦方向に隣り合うように並べられて設けられる。
回転羽根３の回転支持部４は、回転羽根３の右側端面１０ａ及び左側端面１０ｂより突出する回転中心軸１１を回転可能に支持するために縦桟７の内側板７Ｘに設けられた軸受穴により形成される。
連結機構５は、例えば、一対の縦桟７のうちの一方の縦桟７ａの内側に設けられる。連結機構５は、回転羽根３の回転中心軸１１に連結されて回転中心軸１１の回転に伴って回転中心軸１１を回転中心として回転する翼片２０と、上下に隣り合う複数の回転羽根３の翼片２０の端部２１同士を繋いで上下に隣り合う複数の回転羽根３の翼片２０を連動させて回転させる連結体２２とを備える。
回転羽根３の角度設定手段１５は、例えば、縦桟７の内側板７Ｘを貫通する複数の貫通孔であって回転中心軸１１を中心とする円の軌跡上に形成された複数の停止ピン挿入孔１２と、回転羽根に連結されて縦桟７の方向に進退自在で任意の１つの停止ピン挿入孔１２に出し入れ可能に形成された停止ピン１３とにより形成される。
回転羽根３としては、例えば、図１０；図１１に示すように、長辺７００ｍｍ×短辺５０ｍｍの長方形の面により形成された風遮蔽面８を形成する表面８ａ及び裏面８ｂ、長辺７００ｍｍ×厚さ１０ｍｍの長方形の面により形成された両方の縁面９としての上縁面９ａ及び下縁面９ｂ、短辺５０ｍｍ×厚さ寸法１０ｍｍの長方形の面により形成された両方の端面１０としての左側端面１０ａ及び右側端面１０ｂを備えたものが知られている。上下方向に隣り合う回転羽根３の表面８ａと裏面８ｂとが重なり合うように回転羽根３の回転角度が設定された場合、上下方向に隣り合う複数の回転羽根３の表面８ａ及び裏面８ｂが風遮蔽面８を形成する。上下方向に隣り合う回転羽根３の表面８ａと裏面８ｂとが重ならないように回転羽根３の回転角度が設定された場合、上下方向に隣り合う回転羽根３と回転羽根３との間に風の通過を許容する通路Ｓが形成される。
即ち、可動ルーバー装置１は、複数の回転羽根３を備え、回転羽根３は、風遮蔽面８を形成する表面８ａ及び裏面８ｂと、表面８ａと裏面８ｂとを繋ぐとともに回転支持部４によって回転可能に支持される回転中心軸１１を有した両方の端面１０としての左側端面１０ａ及び右側端面１０ｂと、表面８ａと裏面８ｂとを繋ぐとともに回転羽根３の回転中心に沿った面により形成された両方の縁面９としての上縁面９ａ及び下縁面９ｂとを備え、複数の回転羽根３の縁面９同士が互いに隣り合うように複数の回転羽根３が一方向に並べられて設けられた構成である。
尚、図１０に示した回転羽根３の厚さ寸法ｂが小さい場合には、風遮蔽面８を平面に形成することが可能である。
【０００４】
図１２;図１３に示すように、回転羽根３としては、回転羽根３の回転中心に沿った面により形成された両方の縁面９としての上縁面９ａ及び下縁面９ｂにそれぞれ形成された係合凹部１７を備えたものも知られている。即ち、回転羽根３の一方の縁部である上縁部には裏面８ｂ側に開口する裏係合凹部１７ａが形成されるとともに、回転羽根３の他方の縁部である下縁部には表面８ａ側に開口する表係合凹部１７ｂが形成された形態である。裏係合凹部１７ａは、回転羽根３の一方の縁部である上縁部において、上縁面９ａと、上縁面９ａと対向する係合片１８ｂと、係合片１８ｂと上縁面９ａとを繋ぐ連結片１８ａとで囲まれた凹部によって形成される。表係合凹部１７ａは、回転羽根３の他方の縁部である上縁部において、下縁面９ｂと、下縁面９ｂと対向する係合片１８ｄと、係合片１８ｄと下縁面９ｂとを繋ぐ連結片１８ｃとで囲まれた凹部によって形成される。図１２（ａ）に示すように、回転中心軸１１を回転中心として回転羽根３を回転させ、上下に並ぶ回転羽根３；３の係合片１８ｂと凹部１７ｂ及び係合片１８ｄと凹部１７ａとが係合しあった場合に表面８ａと裏面８ｂとで風遮蔽面８が形成され、図１２（ｂ）に示すように、上下に並ぶ回転羽根３；３の係合片１８ｂと凹部１７ｂ及び係合片１８ｄと凹部１７ａとの係合が解除された場合に上下方向に隣り合う回転羽根３と回転羽根３との間に風の通過を許容する通路Ｓが形成される。
【特許文献１】特開平７−２３８６４９号公報
【特許文献２】特開２００１−１７３３２６号公報
【特許文献３】特開２００７−２３６３８号公報
【特許文献４】特開２００７−４００１６号公報
【発明の開示】
【発明が解決しようとする課題】
【０００５】
図１２に示した従来の可動ルーバー装置１の回転羽根３の場合、例えば、図１３に示すように、風Ｆの流れる方向と回転羽根３の互いに平行な表面８ａ及び裏面８ｂとが平行又は平行に近い状態となった場合において、風Ｆが係合片１８ｂ（１８ｄ）の先端の角部（エッジ）１８ｔに衝突して渦Ｆ１を作り、この渦Ｆ１が下流の縁面９の角部９ｃに衝突して音を発生させるとともに、ここで発生する圧力波Ｆ２が上流に伝播して次の渦を作るという現象が周期的に繰り返されることによって、いわゆる、フィードバック発振音（風切り音）が発生するという問題点があった。
そこで、本発明は、フィードバック発振音の発生を効果的に防止可能な可動ルーバー装置を提供する。
【課題を解決するための手段】
【０００６】
本発明に係る可動ルーバー装置は、複数の回転羽根を備え、回転羽根は、風遮蔽面を形成する表面及び裏面と、表面と裏面とを繋ぐとともに回転支持部によって枠に回転可能に支持される回転中心軸を有した両方の端面と、表面と裏面とを繋ぐとともに回転羽根の回転中心に沿った面により形成された両方の縁面と、両方の縁面に形成された係合凹部とを備え、係合凹部が、縁面と、縁面と対向する係合片と、係合片と縁面とを繋ぐ連結片とで囲まれた凹部によって形成され、複数の回転羽根の縁面同士が互いに隣り合うように一方向に並べられて互いに隣り合う回転羽根の係合凹部同士が互いに係合可能に構成された可動ルーバー装置において、係合凹部の内側と外側とに貫通する貫通孔を備えたことを特徴とする。
貫通孔が係合片に形成されたことも特徴とする。
【発明の効果】
【０００７】
本発明の可動ルーバー装置によれば、回転羽根の係合凹部の内側と外側とに貫通する貫通孔により、係合凹部内への気流の流入口を設けることとなり、縁面と連結片と係合片とで囲まれた係合凹部の開口部が気流の流出口となるため気流の流れる経路が形成されるので、気流の流れが生じ、この気流の流れが係合凹部での周期的な渦の発生を防止するので、フィードバック発振音の発生を効果的に防止できる。
貫通孔が係合片に形成された場合には、風の流れる方向と係合片の延長方向とが交差する場合に、風が貫通孔から係合凹部内に流れて気流の流れが生じ、係合凹部での周期的な渦の発生が防止されるので、フィードバック発振音の発生を効果的に防止できる。
【発明を実施するための最良の形態】
【０００８】
最良の形態１．
図１乃至図５は最良の形態１を示す。図１（ａ）は可動ルーバー装置の回転羽根が風を遮蔽する状態に設定された場合を示し、図１（ｂ）は可動ルーバー装置の回転羽根が回転羽根間に風の通過を許容する通路を形成した状態に設定された場合を示す。図２は回転羽根を斜視図で示す。図３は回転羽根の係合片が貫通孔を備えた場合の風の流れを示す。図４は実験により得た最良の形態１の可動ルーバー装置による音発生レベルと従来の可動ルーバー装置による音発生レベルとの差である相対音圧レベル差を示したグラフである。図５は最良の形態１の可動ルーバー装置の回転羽根及び従来の可動ルーバー装置の回転羽根の実験条件を示す。尚、図９乃至図１３に示した従来例と同一部分については同一符号を付してその説明を省略する。
【０００９】
図１乃至図３に示すように、可動ルーバー装置１Ａは、回転羽根３Ａを備える。回転羽根３Ａは、金属、プラスチック、ＦＲＰなどの材料により形成される。回転羽根３Ａは、風遮蔽面８を形成する表面８ａ及び裏面８ｂと、表面８ａと裏面８ｂとを繋ぐとともに回転支持部４（図１１参照）によってルーバー枠２（図９参照）に回転可能に支持される回転中心軸１１を有した両方の端面１０；１０と、表面８ａと裏面８ｂとを繋ぐとともに回転羽根３Ａの回転中心に沿った面により形成された両方の縁面９として上縁面９ａ及び下縁面９ｂと、上縁面９ａ及び下縁面９ｂに形成された係合凹部１７とを備える。係合凹部１７は、縁面９と、縁面９と対向する係合片１８ｂ；１８ｄと、係合片１８ｂ；１８ｄと縁面９とを繋ぐ連結片１８ａ；１８ｃとで囲まれた凹部によって形成される。複数の回転羽根３Ａは、縁面９；９同士が互いに隣り合うように上下方向（一方向）に並べられて互いに隣り合う回転羽根３Ａの係合凹部１７同士が互いに係合可能に構成される。そして、係合凹部１７（表係合凹部１７ｂ及び裏係合凹部１７ａ）の係合片１８ｂ；１８ｄには、係合凹部１７の内側と外側とに貫通する円形の貫通孔２０が形成される。表面８ａ及び裏面８ｂは互いに平行な平面により形成される。上縁面９ａ及び下縁面９ｂは互いに平行な平面により形成される。係合片１８ｂ；１８ｄは上縁面９ａ及び下縁面９ｂと平行で、かつ、表面８ａ及び裏面８ｂと直交する平面により形成される。
【００１０】
即ち、図１３に示した従来の可動ルーバー装置１の回転羽根３に対して、裏係合凹部１７ａの係合片１８ｂに、裏係合凹部１７ａの内側と外側とに貫通する貫通孔２０が横方向に複数並ぶように形成され、表係合凹部１７ｂの係合片１８ｄに、表係合凹部１７ｂの内側と外側とに貫通する貫通孔２０が横方向に複数並ぶように形成された構成の回転羽根３Ａを備えた可動ルーバー装置１とした。
【００１１】
最良の形態によれば、図１（ａ）に示すように上下方向で隣り合う回転羽根３Ａ；３Ａの裏係合凹部１７ａと表係合凹部１７ｂとが互いに係合し合って表面８ａと裏面８ｂとで風遮蔽面８が形成されて繋がって縁面９；９間の風の通過を遮断する状態から、図１（ｂ）に示すように、上述した角度設定手段１５（図１１参照）が、上下方向（一方向）に隣り合う回転羽根３Ａと回転羽根３Ａとの間に風の通過を許容する通路Ｓを形成するように回転羽根３Ａの表面８ａや裏面８ｂの傾斜角度を固定した場合において、図３に示すように、風Ｆが係合片１８ｂに向けて流れた場合、係合片１８ｂに形成された回転羽根３Ａの係合凹部１７ａの内側と外側とに貫通する貫通孔２０により、係合凹部１７ａ内への気流の流入口が設けられることとなり、連結片１８ａの面と対向する側に位置する係合凹部１７ａの開口部１７ｘが気流の流出口となるため気流の流れる経路１７ｙが形成される。よって、係合凹部１７ａを通過する気流の流れが生じ、この気流の流れが係合凹部１７ａでの周期的な渦の発生（図１３参照）を防止するので、フィードバック発振音の発生を効果的に防止できる。
尚、特許文献１乃至特許文献３などで開示された固定ルーバー装置のように、固定のルーバフィンの風上縁部や風下縁部に縁板や円柱状物体のような風切り騒音防止部を備えた構成の場合、固定されたルーバフィンの角度にて想定された一定の風向きの場合には風切り騒音防止部によりフィードバック発振音の発生を抑えることができるが、一定の風向き以外の場合にはフィードバック発振音の発生を防止できない。
一方、最良の形態１の可動ルーバー装置１Ａによれば、回転羽根３Ａの角度設定手段１５を操作することで回転羽根３Ａの角度を変えることが可能となり、回転羽根３Ａが任意の角度に設定された場合においては、どのような風向きの風であって係合凹部１７ａを通過する気流の流れが生じ、この気流の流れが係合凹部１７ａでの周期的な渦の発生を防止するので、フィードバック発振音の発生を効果的に防止できる。
【００１２】
図４は実験により求められた最良の形態１の可動ルーバー装置１Ａによる音発生レベルと図１２；１３に示した従来の可動ルーバー装置１による音発生レベルとの差である相対音圧レベル差をグラフで示したものである。実験は、図５（ａ）に示すように、最良の形態１の可動ルーバー装置の回転羽根３の互いに平行な表面８ａ及び裏面８ｂと風Ｆの流れる方向とが平行で、かつ、係合片１８ｂ；１８ｄの延長方向と風Ｆの流れる方向とが直交する状態に設定した後に、回転羽根３に風速７ｍ／ｓの風を送って発生した音圧レベルを測定した。また、図５（ｂ）に示すように、従来の可動ルーバー装置の回転羽根３（図１３参照）を図５（ａ）に示した最良の形態１の可動ルーバー装置の回転羽根３と同じ条件下において実験してその音圧レベルを測定した。
図４から解かるように、最良の形態１の可動ルーバー装置１によれば、従来の可動ルーバー装置１と比べて、特に、３００Ｈｚ帯域で３．４ｄＢ、３０００Ｈｚ帯域で６．０ｄＢの音低減効果が得られた。
【００１３】
最良の形態２．
図６；７に示すように、上下方向で隣り合う回転羽根３Ａ；３Ａの裏係合凹部１７ａと表係合凹部１７ｂとが互いに係合しあった状態において、裏係合凹部１７ａの係合片に１８ｂに形成された貫通孔２０と表係合凹部１７ｂの係合片に１８ｂに形成された貫通孔２０とが上下方向で重ならないように構成する。例えば、上下の貫通孔２０；２０を、図６（ｂ）に示すように、回転羽根３Ａの回転中心軸１１に沿った方向に互いにずらしたり、図７（ｂ）に示すように、回転羽根３Ａの表裏方向に互いにずらす。このように、上下の貫通孔２０；２０が上下方向で重ならないように構成した場合、雨の浸入防止効果や遮音性が向上する。
【００１４】
最良の形態１；２の可動ルーバー装置１Ａを連結機構５も含めて図８に斜視図で示した。図８（ａ）は可動ルーバー装置１Ａの回転羽根３Ａが風を遮蔽する状態に設定された場合を斜視図で示し、図８（ｂ）は可動ルーバー装置１Ａの回転羽根３Ａが回転羽根３Ａ間に風の通過を許容する通路Ｓを形成した状態に設定された場合を斜視図で示す。
【００１５】
最良の形態３．
係合凹部１７の内側と外側とに貫通する貫通孔２０が連結片１８ａ；１８ｃに形成された構成の回転羽根を備えた可動ルーバー装置でもよい。
【００１６】
尚、表面８ａ及び裏面８ｂ、上縁面９ａ及び下縁面９ｂ、左側端面１０ａ及び右側端面１０ｂ、回転中心軸１１を備えた矩形長尺板状の回転羽根本体と、連結片１８ａ（１８ｃ）と係合片１８ｂ（１８ｄ）とを備えた断面Ｌ字状の長尺材と、をそれぞれ別々に製作し、当該断面Ｌ字状の長尺材を回転羽根本体の表面８ａ（裏面８ｂ）や上縁面９ａ（下縁面９ｂ）に後付けして係合凹部１７を形成すれば、回転羽根３Ａが容易に製造できるので製造コストを低減できる。
【産業上の利用可能性】
【００１７】
貫通孔２０の形状や個数は特に限定されない。
係合片１８ｂ；１８ｄは上縁面９ａ及び下縁面９ｂと平行な平面でなくともよい。
表面８ａ及び裏面８ｂは、中央部が湾曲状に隆起したような形状でもよい。
上縁面９ａ及び下縁面９ｂは、中央部が湾曲状に隆起したような形状でもよい。
【図面の簡単な説明】
【００１８】
【図１】可動ルーバー装置の回転羽根の遮蔽状態、通路形成状態を示す図（最良の形態１）。
【図２】回転羽根の斜視図（最良の形態１）。
【図３】貫通孔を備えた場合の風の流れを示す説明図（最良の形態１）。
【図４】実験結果を示すグラフ（最良の形態１）。
【図５】実験条件を示す図であって、（ａ）は最良の形態１の回転羽根の実験条件を示し、（ｂ）は従来の回転羽根の実験条件を示す（最良の形態１）。
【図６】（ａ）は可動ルーバー装置の回転羽根の遮蔽状態を示し、（ｂ）は（ａ）のＡ−Ａ断面を示す（最良の形態２）。
【図７】（ａ）は可動ルーバー装置の回転羽根の遮蔽状態を示し、（ｂ）は（ａ）のＡ−Ａ断面を示す（最良の形態２）。
【図８】回転羽根の遮蔽状態及び通路形成状態を示す斜視図（最良の形態１；２）。
【図９】可動ルーバー装置を示す斜視図（従来）。
【図１０】回転羽根の遮蔽状態及び通路形成状態を示す図（従来）。
【図１１】回転支持部、連結機構、角度設定手段の詳細を示す斜視図（従来）。
【図１２】回転羽根の遮蔽状態及び通路形成状態を示す図（従来）。
【図１３】フィードバック発振音の発生原理を説明した図（従来）。
【符号の説明】
【００１９】
１Ａ  可動ルーバー装置、２  ルーバー枠（枠）、３Ａ  回転羽根、４  回転支持部、
８  風遮蔽面、８ａ  表面、８ｂ  裏面、９  縁面、１０  端面、１１  回転中心軸、
１７  係合凹部、１８ａ；１８ｃ  連結片、１８ｂ；１８ｄ  係合片、２０  貫通孔。
【図１】
2009228253.tif 000003
【図２】
2009228253.tif 000004
【図３】
2009228253.tif 000005
【図４】
2009228253.tif 000006
【図５】
2009228253.tif 000007
【図６】
2009228253.tif 000008
【図７】
2009228253.tif 000009
【図８】
2009228253.tif 000010
【図９】
2009228253.tif 000011
【図１０】
2009228253.tif 000012
【図１１】
2009228253.tif 000013
【図１２】
2009228253.tif 000014
【図１３】
2009228253.tif 000015